(57)【要約】【課題】蓋本体が水平横方向に逃げず、手指でもって持ち上げることが容易な風呂蓋を提供する。【解決手段】下方から指を掛けて持ち上げる力を付与するための指掛け部２を、水平方向突出状として有する指掛け部材４を、蓋本体の外周に沿って配設されているモール３に、付設する。【選択図】図１
2020195666.tif 000002
【特許請求の範囲】
【請求項１】
蓋本体（１）の外周縁の一部に、下方から指を掛けて持ち上げる力を付与するための指掛け部（２）を、水平方向突出状として設けたことを特徴とする風呂蓋。
【請求項２】
下方から指を掛けて持ち上げる力を付与するための指掛け部（２）を水平方向突出状として有する指掛け部材（４）を、蓋本体（１）の外周に沿って配設されているモール（３）に、固着したことを特徴とする風呂蓋。
【請求項３】
上記指掛け部（２）は、その下面（２Ａ）に浅い凹窪部（２Ｂ）を有している請求項１又は２記載の風呂蓋。
【請求項４】
上記指掛け部材（４）は、
上記モール（３）の鉛直壁（３Ａ）の外面（３Ｂ）に当接する当て板部（４Ａ）と、該当て板部（４Ａ）の裏面（４Ｂ）から突設されて上記モール（３）に所定間隔をもって配設された貫孔（３Ｃ）（３Ｃ）に挿入される２本の小円筒部（４Ｃ）（４Ｃ）と、上記当て板部（４Ａ）の上縁に連設された上記指掛け部（２）と、を有する側面視倒立Ｌ字形状の指掛け部材本体部（４Ｄ）と、
上記モール（３）の上記鉛直壁（３Ａ）の内面（３Ｄ）に当接する帯板部（７Ａ）と、該帯板部（７Ａ）から突設されて上記小円筒部（４Ｃ）（４Ｃ）に外嵌される２本の有底円筒部（７Ｂ）（７Ｂ）を一体に有する補強裏当帯体（７）と、
上記小円筒部（４Ｃ）（４Ｃ）に上記有底円筒部（７Ｂ）（７Ｂ）を外嵌状として、上記有底円筒部（７Ｂ）の小孔部（７Ｃ）から挿入されて上記小円筒部（４Ｃ）に螺着されるネジ（８）と、
を具備し、
上記指掛け部材本体部（４Ｄ）の当て板部（４Ａ）と、上記補強裏当帯体（７）の帯板部（７Ａ）によって、上記モール（３）の上記鉛直壁（３Ａ）を外と内から挟圧状態として固着するように構成されている請求項２記載の風呂蓋。
【請求項５】
上記補強裏当帯体（７）は、風呂蓋内部（Ｙ）に充填されて固化したウレタン発泡材（Ｕ）に対して、水平内方向に侵入状として一体化した水平内方突出片（15）が付設されている請求項４記載の風呂蓋。
【請求項６】
上記モール（３）の鉛直壁（３Ａ）の内面（３Ｄ）に当接状としてネジ受け部材（19）を、風呂蓋内部（Ｙ）に充填されて固化したウレタン発泡材（Ｕ）に一体状に予め埋設し、上記鉛直壁（３Ａ）の外面（３Ｂ）に指掛け部材（４）の当て板部（４Ａ）を当接状として、該指掛け部材（４）の当て板部（４Ａ）と、上記モール（３）とを貫通して、埋設された上記ネジ受け部材（19）に、止めネジ（10）を螺着して、上記指掛け部材（４）を後付けした請求項２記載の風呂蓋。
【発明の詳細な説明】
【技術分野】
【０００１】
本発明は、風呂蓋に関する。
【背景技術】
【０００２】
従来、風呂蓋の外周面に手指の先を置くことができる程度に浴槽側壁部の上端部を風呂蓋の外周面の上端部から離して設けて、風呂蓋を外しやすくする浴槽が知られている（特許文献１参照）。
【先行技術文献】
【特許文献】
【０００３】
【特許文献１】特開２０１７−１１９００７号公報
【発明の概要】
【発明が解決しようとする課題】
【０００４】
しかし、特許文献１記載の風呂蓋は、浴槽の蓋載置面がフランジ段部を有する形状として、その形状と組み合わせて使用するものであり、他の形状の浴槽、すなわちフランジ段部を有さない形状の浴槽に使用した場合、持ち上げにくいという欠点があった。
【０００５】
そこで、本発明は、浴槽のフランジ段部の有無を問わず使用でき、確実かつ容易に持ち上げることが可能な風呂蓋を提供することを目的とする。
【課題を解決するための手段】
【０００６】
本発明に係る風呂蓋は、蓋本体の外周縁の一部に、下方から指を掛けて持ち上げる力を付与するための指掛け部を、水平方向突出状として設けた。
また、下方から指を掛けて持ち上げる力を付与するための指掛け部を水平方向突出状として有する指掛け部材を、蓋本体の外周に沿って配設されているモールに、固着した。
また、上記指掛け部は、その下面に浅い凹窪部を有している。
【０００７】
また、上記指掛け部材は、上記モールの鉛直壁の外面に当接する当て板部と、該当て板部の裏面から突設されて上記モールに所定間隔をもって配設された貫孔に挿入される２本の小円筒部と、上記当て板部の上縁に連設された上記指掛け部と、を有する側面視倒立Ｌ字形状の指掛け部材本体部と、上記モールの上記鉛直壁の内面に当接する帯板部と、該帯板部から突設されて上記小円筒部に外嵌される２本の有底円筒部を一体に有する補強裏当帯体と、上記小円筒部に上記有底円筒部を外嵌状として、上記有底円筒部の小孔部から挿入されて上記小円筒部に螺着されるネジと、を具備し、上記指掛け部材本体部の当て板部と、上記補強裏当帯体の帯板部によって、上記モールの上記鉛直壁を外と内から挟圧状態として固着するように構成した。
また、上記補強裏当帯体は、風呂蓋内部に充填されて固化したウレタン発泡材に対して、水平内方向に侵入状として一体化した水平内方突出片が付設されている構成である。
【０００８】
また、上記モールの鉛直壁の内面に当接状としてネジ受け部材を、風呂蓋内部に充填されて固化したウレタン発泡材に一体状に予め埋設し、上記鉛直壁の外面に指掛け部材の当て板部を当接状として、該指掛け部材の当て板部と、上記モールとを貫通して、埋設された上記ネジ受け部材に、止めネジを螺着して、上記指掛け部材を後付けした構成である。
【発明の効果】
【０００９】
本発明の風呂蓋によれば、浴槽の蓋載置面の段部の有無を問わず、持ち上げやすく、取外しを楽に行うことができる。
【図面の簡単な説明】
【００１０】
【図１】本発明の実施の一形態を示す斜視図である。
【図２】指掛け部材本体部を示す斜視図である。
【図３】補強裏当帯体を示す斜視図である。
【図４】本発明の風呂蓋の要部構成を示した要部断面図である。
【図５】本発明の風呂蓋の全体形状を示す平面図である。
【図６】本発明の他の実施の形態を示す要部断面図である。
【図７】補強裏当帯体の他の実施例の斜視図である。
【図８】補強裏当帯体の別の実施例の斜視図である。
【図９】指掛け部材を設けていない風呂蓋の要部断面図である。
【図１０】後付けで指掛け部材を付設する状態を示す要部断面図である。
【発明を実施するための形態】
【００１１】
以下、図示の実施の形態に基づき本発明を詳説する。
図１に示した実施の形態に於て、下方から指を掛けて持ち上げる力を付与するための指掛け部２を水平方向突出状として有する指掛け部材４を、蓋本体１の外周に沿って配設されているモール３に、固着している。指掛け部２の外縁部は、円弧形状の場合を図示している。
【００１２】
図２と図３と図４に示すように、側面視倒立Ｌ字形状の指掛け部材本体部４Ｄを有し、指掛け部材本体部４Ｄは、上記モール３の鉛直壁３Ａの外面３Ｂに当接する当て板部４Ａと、該当て板部４Ａの裏面４Ｂから突設されて上記モール３に所定間隔をもって配設された貫孔３Ｃ，３Ｃに挿入される２本の小円筒部４Ｃ，４Ｃと、上記当て板部４Ａの上縁に連設された上記指掛け部２と、を有する。
【００１３】
図３は、補強裏当帯体７を示す。補強裏当帯体７は、上記モール３の上記鉛直壁３Ａの内面３Ｄに当接する帯板部７Ａと、該帯板部７Ａから突設されて上記小円筒部４Ｃ，４Ｃに外嵌される２本の有底円筒部７Ｂ，７Ｂを一体に有する。
【００１４】
図１〜図３に示すように、上記小円筒部４Ｃ，４Ｃに上記有底円筒部７Ｂ，７Ｂを外嵌状として、上記有底円筒部７Ｂの小孔部７Ｃからネジ８を挿入し、上記小円筒部４Ｃに螺着する。
上記指掛け部材本体部４Ｄの当て板部４Ａと、上記補強裏当帯体７の帯板部７Ａによって、上記モール３の上記鉛直壁３Ａを外と内から挟圧状態として固着する。
【００１５】
図４は、固着された指掛け部２及び取着構造の断面を示す。上記指掛け部２は、その下面２Ａに浅い凹窪部２Ｂを有しており、手指にて持ち上げやすく、また、浴槽上で風呂蓋の位置をずらす際にも、持ち上げながらずらすことが容易である。なお、蓋本体１の内部は、固化したウレタン発泡材Ｕが充填されている。
【００１６】
図５は、左右一対の蓋本体１を有する風呂蓋の全体形状を示す。上記一対の蓋本体１の相互合せ目５の近傍の手前縁部６において、各蓋本体１に指掛け部２が設けられている。このようにすれば、扱いやすく、安定して風呂蓋を持ち上げることができる。また、浴槽上で風呂蓋をずらす必要がある際にも、指掛け部２を使用して蓋を浮かせることで容易に風呂蓋の位置調整ができる。
【００１７】
図６に、本発明の他の実施の形態を示す。図６では、指掛け部材４が内方突片部14を有し、この内方突片部14は、モール３の上面を覆う形状になっており、手指で指掛け部材４を引掛けて蓋本体１を持ち上げる際にかかる力に対する抵抗力（反力）を発生して、図６に示した指掛け部材４と補強裏当帯体７との取着（固着）部位の補強を行って、その耐久性を向上できる。
【００１８】
本発明は、上述の実施例に限定されず、例えば、指掛け部２の形状は、円弧形状に限らず、手指にて安定して持ち上げることが可能な形状であれば自由に変更可能である。
【００１９】
次に、図７又は図８に於て、補強裏当帯体７は、基本部位が図１〜図４と同様であるが、特に、水平内方突出片15が一体に形成されている。
図６に於て、点線をもって示したように、風呂蓋内部Ｙに充填されて固化したウレタン発泡材Ｕに対して、水平方向に侵入状とし突出片15は一体化しており、補強裏当帯体７が水平外方向に引抜けるのに対抗する耐引抜け力を増強できる。従って、補強裏当帯体７に連結されている指掛け部材４及び（その近傍の）モール３等を補強する。
【００２０】
また、図７に示すように、貫孔16を突出片15に設けることで、発泡注入されたウレタン樹脂が、貫孔16に侵入して固化し、上記の増強及び補強の機能を向上できる。
また、図８に示す如く、左右方向の小凹凸部17を形成して、図７と同様の増強及び補強の機能を向上することができる。
【００２１】
次に、図９と図10に於て、さらに別の実施形態を示している。即ち、図９に示すように、モール３の鉛直壁３Ａの内面３Ｄに当接状として、仮止めビス18等にてネジ受け部材19を固着し、その後、ウレタン樹脂を発泡注入して、風呂蓋内部Ｙに充填する。その後、固化したウレタン発泡材Ｕによって、ネジ受け部材19は一体埋込み状態となる。
つまり、ネジ受け部材19は、図９に示す如く、固化したウレタン発泡材Ｕと一体状として予め埋設しておく。
【００２２】
顧客等の要望によっては、指掛け部材４を省略してほしいと言われる場合には、図９の形状のままで出荷できる。
他の顧客等の要望によっては、図９に示した仮止めビス18を取去って、図10に示したように、埋設された前記ネジ受け部材19に止めネジ10をもって、指掛け部材４を後付けする構造である。
【００２３】
具体的には、止めネジ10は、指掛け部材４の当て板部４Ａの小孔部と、モール３の小孔部を、貫通して、埋設されている内部のネジ受け部材19に、螺着して、指掛け部材４を、（射出成形固化の後に）後付けする。
なお、図９と図10に於て、図７と図８に示したような水平内方突出片15と同様の作用・機能を発揮する水平内方突出片15Ａを、ネジ受け部材19にも付加するのが好ましい。
【００２４】
本発明は以上詳述したように、蓋本体１の外周縁の一部に、下方から指を掛けて持ち上げる力を付与するための指掛け部２を、水平方向突出状として設けたので、持ち上げやすく、位置をずらしやすい風呂蓋ができる。
【００２５】
また、下方から指を掛けて持ち上げる力を付与するための指掛け部２を水平方向突出状として有する指掛け部材４を、蓋本体１の外周に沿って配設されているモール３に、固着したので、外部の形状がシンプルであって、風呂蓋として、持ち上げやすく、位置をずらしやすい。
【００２６】
また、上記指掛け部２は、その下面２Ａに浅い凹窪部２Ｂを有しているので、手指によく適応して、手指が滑らずに力を与えやすく、安定して風呂蓋を持ち上げることができる。
【００２７】
また、上記指掛け部材４は、上記モール３の鉛直壁３Ａの外面３Ｂに当接する当て板部４Ａと、該当て板部４Ａの裏面４Ｂから突設されて上記モール３に所定間隔をもって配設された貫孔３Ｃ，３Ｃに挿入される２本の小円筒部４Ｃ，４Ｃと、上記当て板部４Ａの上縁に連設された上記指掛け部２と、を有する側面視倒立Ｌ字形状の指掛け部材本体部４Ｄと、上記モール３の上記鉛直壁３Ａの内面３Ｄに当接する帯板部７Ａと、該帯板部７Ａから突設されて上記小円筒部４Ｃ，４Ｃに外嵌される２本の有底円筒部７Ｂ，７Ｂを一体に有する補強裏当帯体７と、上記小円筒部４Ｃ，４Ｃに上記有底円筒部７Ｂ，７Ｂを外嵌状として、上記有底円筒部７Ｂの小孔部７Ｃから挿入されて上記小円筒部４Ｃに螺着されるネジ８と、を具備し、上記指掛け部材本体部４Ｄの当て板部４Ａと、上記補強裏当帯体７の帯板部７Ａによって、上記モール３の上記鉛直壁３Ａを外と内から挟圧状態として固着するように構成されているので、指掛け部２の強度が高く、耐久性も向上し、風呂蓋の寿命が長くなる。
また、モール３に対して、外と内から、確実かつ迅速に指掛け部材４と補強裏当帯体７を組付ける作業を行い得る。
【００２８】
また、上記補強裏当帯体７は、風呂蓋内部Ｙに充填されて固化したウレタン発泡材Ｕに対して、水平内方向に侵入状として一体化した水平内方突出片15が付設されている構成であるので、補強裏当帯体７、及び、これに固着された指掛け部材４と、挟圧保持されたモール３が、水平外方に移動・変形することを阻止する補強が行われ、かつ、人の指によって上方へ持ち上げられる外力が指掛け部材４に付加された際に、指掛け部材４及びその近傍のモール３や、風呂蓋表板・裏板等が、過大変形することを阻止する十分な補強が行われる。耐久性が増加し、長期間の使用に耐えて長寿命となる。
【００２９】
また、上記モール３の鉛直壁３Ａの内面３Ｄに当接状としてネジ受け部材19を、風呂蓋内部Ｙに充填されて固化したウレタン発泡材Ｕに一体状に予め埋設し、上記鉛直壁３Ａの外面３Ｂに指掛け部材４の当て板部４Ａを当接状として、該指掛け部材４の当て板部４Ａと、上記モール３とを貫通して、埋設された上記ネジ受け部材19に、止めネジ10を螺着して、上記指掛け部材４を後付けした構成であるので、内部のネジ受け部材19にて、十分な補強がなされ、耐久性に優れる。特に、後付けにて指掛け部材４を取付けできるので、顧客等の要望によって、指掛け部材４の無い状態（図９参照）で出荷可能であり、他方、別の顧客等の要望によっては、簡単かつ強固に、指掛け部材４を取着（図10参照）して出荷できる。特に、後付けであっても、指掛け部材４の取付けられる風呂蓋近傍の強度と剛性は十分に高い。
【符号の説明】
【００３０】
１  蓋本体
２  指掛け部
２Ａ  下面
２Ｂ  凹窪部
３  モール
３Ａ  鉛直壁
３Ｂ  外面
３Ｃ  貫孔
３Ｄ  内面
４  指掛け部材
４Ａ  当て板部
４Ｂ  裏面
４Ｃ  小円筒部
４Ｄ  本体部
５  合せ目
６  手前縁部
７  補強裏当帯体
７Ａ  帯板部
７Ｂ  有底円筒部
７Ｃ  小孔部
８  ネジ
10  止めネジ
15  水平内方突出片
19  ネジ受け部材
Ｕ  ウレタン発泡材
Ｙ  風呂蓋内部
【図１】
2020195666.tif 000003
【図２】
2020195666.tif 000004
【図３】
2020195666.tif 000005
【図４】
2020195666.tif 000006
【図５】
2020195666.tif 000007
【図６】
2020195666.tif 000008
【図７】
2020195666.tif 000009
【図８】
2020195666.tif 000010
【図９】
2020195666.tif 000011
【図１０】
2020195666.tif 000012